(57)【要約】【課題】投稿データを利用して、コンテンツに対する制御を容易に行う。【解決手段】端末装置（２）は、投稿データに含まれ、ユーザに選択されたタグを示すタグ情報を取得するテレビ連携アプリ実行部（２２２）と、テレビ（３）において行われ、取得したタグ情報が示すコンテンツに対する制御内容のうち、ユーザに選択された制御内容を示す制御情報とともに、取得したタグ情報をテレビに送信する通信部（２１）と、を備えている。【選択図】図１
2019125248.tif 000002
【特許請求の範囲】
【請求項１】
投稿データに含まれるタグであって、ユーザにより選択されたタグを示すタグ情報を取得するタグ情報取得部と、
制御対象機器において行われる制御内容であって、取得した上記タグ情報が示すコンテンツに対する制御内容のうち、上記ユーザにより選択された制御内容を示す制御情報とともに、取得した上記タグ情報を上記制御対象機器に送信する送信部と、
を備えていることを特徴とする端末装置。
【請求項２】
上記送信部は、上記タグ情報に関連する関連タグ情報をさらに送信することを特徴とする請求項１に記載の端末装置。
【請求項３】
投稿データに含まれるタグであって、ユーザにより選択されたタグを示すタグ情報と、当該タグ情報が示すコンテンツに対する制御内容を示す制御情報とを受信する受信部と、
上記制御情報に従って、上記タグ情報が示すコンテンツに対する制御を行う制御部と、
を備えていることを特徴とする制御対象機器。
【請求項４】
上記制御部は、上記タグ情報が示すコンテンツに対して消去防止のための処理を行うことを特徴とする請求項３に記載の制御対象機器。
【請求項５】
上記受信部は、上記タグ情報に関連する関連タグ情報をさらに受信し、
上記制御部は、
上記タグ情報ごとに当該タグ情報が示すコンテンツに関する情報を出力するか、または、
上記関連タグ情報ごとに当該関連タグ情報が示すコンテンツに関する情報を出力する
ことを特徴とする請求項３または４に記載の制御対象機器。
【請求項６】
上記制御部は、上記コンテンツに関する情報として当該コンテンツの名称および送信時間帯を含む情報を出力することを特徴とする請求項５に記載の制御対象機器。
【請求項７】
上記制御部は、上記タグ情報が示すコンテンツの録画を予約することを特徴とする請求項３から６の何れか１項に記載の制御対象機器。
【請求項８】
上記制御部は、上記タグ情報が示すコンテンツに対する制御を解除することを特徴とする請求項３から７の何れか１項に記載の制御対象機器。
【請求項９】
請求項３から８の何れか１項に記載の制御対象機器を備えていることを特徴とするテレビジョン受像機。
【請求項１０】
請求項１に記載の端末装置としてコンピュータを機能させるためのプログラムであって、上記タグ情報取得部および上記送信部としてコンピュータを機能させるためのプログラム。
【請求項１１】
請求項３に記載の制御対象機器としてコンピュータを機能させるためのプログラムであって、上記受信部および上記制御部としてコンピュータを機能させるためのプログラム。
【請求項１２】
請求項１０または１１に記載のプログラムを記録したコンピュータ読み取り可能な記録媒体。
【発明の詳細な説明】
【技術分野】
【０００１】
本発明は、端末装置、制御対象機器、テレビジョン受像機、プログラム、および、記録媒体に関する。
【背景技術】
【０００２】
ユーザには、リアルタイムでコンテンツを視聴できない場合でも、興味を持ったコンテンツを後で視聴したいという要求がある。そこで、テレビ放送のすべてのコンテンツを全録画できる機能を備えたテレビ、レコーダが開発されている。録画されたコンテンツの中には、ユーザが興味を持つコンテンツが保存されている場合が多い。特許文献１〜３には、ホームページ、ユーザ自身の書き込み等により番組を特定する装置が開示されている。
【０００３】
一方、スマートフォンの普及により、ＳＮＳ（Social Networking Service）に投稿されたデータを利用して、ユーザ自身が興味のある、他人の情報を手軽に得ることが可能になった。また、テレビ放送中のコンテンツにリアルタイムで他人から感想が投稿されるので、ユーザは、投稿データに含まれるタグを利用することにより、コンテンツに関連する書き込みを抽出して情報を得ることができる。
【先行技術文献】
【特許文献】
【０００４】
【特許文献１】特開２０１４−１３５７６０号公報（２０１４年０７月２４日公開）
【特許文献２】特許第５７５７８８６号明細書（２０１３年０７月２２日公開）
【特許文献３】特開２０１５−１３９１０７号公報（２０１５年０７月３０日公開）
【発明の概要】
【発明が解決しようとする課題】
【０００５】
従来の技術では、ユーザは、録画されたデータの中から興味のあるコンテンツを探す場合、録画一覧の中から放送日、放送時間帯、放送局等の情報から探し出すか、ジャンルを始めとしたカテゴリ検索により探し出す必要がある。テレビおよびレコーダを起動してすぐに所望のコンテンツを視聴したいと考えるユーザにとって、これらの検索作業は手間である。
【０００６】
また、ユーザは、特定のコンテンツを検索したい場合だけでなく、後で視聴するために録画されたコンテンツの消去防止をしたい場合、今後放送されるコンテンツの録画予約をしたい場合等もある。
【０００７】
本発明の一態様は、投稿データを利用して、コンテンツに対する制御を容易に行うことを目的とする。
【課題を解決するための手段】
【０００８】
上記の課題を解決するために、本発明の一態様に係る端末装置は、投稿データに含まれるタグであって、ユーザにより選択されたタグを示すタグ情報を取得するタグ情報取得部と、制御対象機器において行われる制御内容であって、取得した上記タグ情報が示すコンテンツに対する制御内容のうち、上記ユーザにより選択された制御内容を示す制御情報とともに、取得した上記タグ情報を上記制御対象機器に送信する送信部と、を備えている。
【０００９】
また、上記の課題を解決するために、本発明の一態様に係る制御対象機器は、投稿データに含まれるタグであって、ユーザにより選択されたタグを示すタグ情報と、当該タグ情報が示すコンテンツに対する制御内容を示す制御情報とを受信する受信部と、上記制御情報に従って、上記タグ情報が示すコンテンツに対する制御を行う制御部と、を備えている。
【発明の効果】
【００１０】
本発明の一態様によれば、投稿データを利用して、コンテンツに対する制御を容易に行うことができる。
【図面の簡単な説明】
【００１１】
【図１】本発明の実施形態１に係るコンテンツ制御システムの要部構成を示すブロック図である。
【図２】本発明の実施形態１に係る端末装置の画面例を示す図である。
【図３】本発明の実施形態１に係るテレビの画面例を示す図である。
【図４】本発明の実施形態１に係るテレビの画面例を示す図である。
【図５】本発明の実施形態１に係るテレビの画面例を示す図である。
【図６】本発明の実施形態１に係る端末装置の処理を示すフローチャートである。
【図７】本発明の実施形態１に係るテレビの処理を示すフローチャートである。
【発明を実施するための形態】
【００１２】
〔実施形態１〕
以下、本発明の実施形態１について、詳細に説明する。
【００１３】
（コンテンツ制御システム１）
図１は、本実施形態に係るコンテンツ制御システム１の要部構成を示すブロック図である。図１に示すように、コンテンツ制御システム１は、端末装置２、および、テレビ（制御対象機器）３を備えている。端末装置２と、テレビ３とは、インターネットを介して、無線通信可能に接続されている。端末装置２は、ＳＮＳを閲覧可能な各種端末であり、スマートフォン、ＰＣ（Personal Computer）、タブレット、携帯電話等である。テレビ３は、ＵＳＢ−ＨＤＤを備えたテレビジョン受像機であり、テレビ放送の受信、および、ＵＳＢ−ＨＤＤによる、受信したコンテンツの全録画を行う。
【００１４】
なお、テレビ放送の受信、および、受信したコンテンツの全録画を行う機能があれば、テレビ３の代わりに、レコーダであってもよいし、他の機器であってもよい。また、以下に説明するテレビ３の構成、すなわち、制御対象機器を備えたテレビジョン受像機があってもよい。
【００１５】
（端末装置２）
図１に示すように、端末装置２は、通信部（送信部）２１、制御部２２、および、表示部２３を備えている。通信部２１は、インターネットに接続することにより、ＳＮＳデータを受信するとともに、タグ情報および制御情報をテレビ３に送信する。タグ情報および制御情報に関する詳細は、後記する。制御部２２は、端末装置２全体を制御する部分であり、通信部２１が受信したＳＮＳデータを表示部２３に表示させるとともに、表示部２３で選択されたデータを通信部２１に送信させる。表示部２３は、制御部２２から取得した各種データを表示するとともに、ユーザに選択されたデータを制御部２２に出力する。
【００１６】
制御部２２は、ＳＮＳアプリ実行部２２１、および、テレビ連携アプリ実行部（タグ情報取得部）２２２を備えている。ＳＮＳアプリ実行部２２１は、通信部２１を介して、インターネットのサイトからＳＮＳアプリをダウンロードし、その後は、ダウンロードしたＳＮＳアプリをユーザ操作に応じて実行する。ＳＮＳアプリ実行部２２１は、ＳＮＳアプリを実行することにより、インターネットのサイトから当該ＳＮＳの投稿データをダウンロードし、投稿データの一覧表を表示させる。
【００１７】
テレビ連携アプリ実行部２２２は、通信部２１を介して、インターネットのサイトからテレビ連携アプリをダウンロードし、その後は、ダウンロードしたテレビ連携アプリをユーザ操作に応じて実行する。テレビ連携アプリ実行部２２２は、テレビ連携アプリを実行することにより、投稿データに含まれるタグであって、ユーザにより選択されたタグを示すタグ情報を取得する。
【００１８】
この場合、通信部２１は、テレビ３において行われる制御内容であって、取得したタグ情報が示すコンテンツに対する制御内容のうち、ユーザにより選択された制御内容を示す制御情報とともに、取得したタグ情報をテレビ３に送信する。通信部２１は、タグ情報に関連する関連タグ情報をさらに送信してもよい。
【００１９】
（テレビ３）
図１に示すように、テレビ３は、通信部（受信部）３１、制御部３２、表示部３３、および、記憶部３４を備えている。通信部３１は、インターネットに接続することにより、端末装置２からデータを受信する。制御部３２は、テレビ３全体を制御する部分であり、通信部３１が受信したデータを表示部３３に表示させる。表示部３３は、制御部３２から取得したデータを表示させる。記憶部３４は、通信部３１が受信したデータ、制御部３２が編集、加工したデータを記憶する部分であり、ＨＤＤ（Hard Disk Drive）、ＳＳＤ（Solid State Drive）等で実現される。
【００２０】
特に、通信部３１は、投稿データに含まれるタグであって、ユーザにより選択されたタグを示すタグ情報と、当該タグ情報が示すコンテンツに対する制御内容を示す制御情報とを端末装置２から受信する。そして、制御部３２は、制御情報に従って、タグ情報が示すコンテンツに対する制御を行う。また、制御部３２は、制御情報に従って、タグ情報が示すコンテンツに対する制御を解除する。
【００２１】
（端末装置２の画面例）
図２は、本実施形態に係る端末装置２の画面例を示す図である。図２（ａ）は、投稿データ一覧画面Ｇ１の例を示す。図２（ｂ）は、タグ情報送信画面Ｇ２の例を示す。図２（ａ）に示すように、ＳＮＳアプリ実行部２２１は、当該ＳＮＳに投稿された投稿データ一覧画面Ｇ１を表示部２３に表示させる。投稿データ一覧画面Ｇ１には、複数の投稿データが含まれている。そして、例えば、投稿データＤ１には、「番組Ａとっても面白い!!!」という投稿と、「＃番組Ａ」、「＃女優Ａ」、「＃放送局Ａ」というタグとが含まれている。この場合、テレビ連携アプリ実行部２２２は、表示部２３の投稿データ一覧画面Ｇ１におけるユーザ操作を監視している。
【００２２】
ユーザにより、投稿データ一覧画面Ｇ１に表示された、「＃番組Ａ」というタグが選択された場合、テレビ連携アプリ実行部２２２は、当該タグの選択を検知して、図２（ｂ）のタグ情報送信画面Ｇ２を表示部２３に表示させる。換言すれば、表示部２３に表示される画面が、投稿データ一覧画面Ｇ１からタグ情報送信画面Ｇ２に遷移する。
【００２３】
図２（ｂ）に示すように、タグ情報送信画面Ｇ２には、送信諾否画面Ｇ３、録画保護ボタンＢ１、グルーピングボタンＢ２、関連タグ送信ボタンＢ３、録画予約ボタンＢ４、および、タグ解除ボタンＢ５が含まれている。
【００２４】
送信諾否画面Ｇ３は、ユーザにより選択されたタグ（＃番組Ａ）を示すタグ情報をテレビ３に送信するか否かを当該ユーザに指定させるための画面である。送信諾否画面Ｇ３には、「タグ“番組Ａ”をテレビに送信しますか？」という問合せ文と、「はい」ボタンと、「いいえ」ボタンとが含まれている。ユーザにより送信諾否画面Ｇ３の「はい」ボタンが選択されると、テレビ連携アプリ実行部２２２は、通信部２１に対して、タグ“番組Ａ”を示すタグ情報をテレビ３に送信させる。
【００２５】
ボタンＢ１〜Ｂ４は、タグ情報とともにテレビ３に送信される制御情報が示す制御内容であって、タグ情報が示すコンテンツに対する制御内容をユーザに指定させるためのボタンである。コンテンツに対する制御内容には、録画保護、グルーピング、関連タグ送信、録画予約、および、タグ解除がある。
【００２６】
録画保護ボタンＢ１は、全録画したコンテンツのうち、タグ情報が示すコンテンツに対して消去防止のための処理を行うことをユーザに指定させるためのボタンである。
【００２７】
グルーピングボタンＢ２は、タグ情報ごとに当該タグ情報が示すコンテンツに関する情報（例えば、コンテンツの名称および送信時間帯を含む情報）をグループ化することをユーザに指定させるためのボタンである。グループ化とは、録画されたコンテンツの中からタグ情報が示すコンテンツを検索した結果、該当したコンテンツに関する情報をタグ情報ごとにグルーピングして、ユーザに随時一覧表示可能な状態にすることを示す。
【００２８】
関連タグ送信ボタンＢ３は、テレビ３に対して、ユーザに選択されたタグ（＃番組Ａ）を示すタグ情報だけでなく、投稿データＤ１に含まれる他のタグ（＃女優Ａ、＃放送局Ａ）を示すタグ情報（タグ情報に関連する関連タグ情報）をさらに送信することをユーザに指定させるためのボタンである。関連タグ送信ボタンＢ３の指定により、テレビ３では、投稿データにおいて、ユーザに選択されたタグと併せて書き込まれていたタグに基づいて、コンテンツを検索することになる。
【００２９】
録画予約ボタンＢ４は、タグ情報が示すコンテンツの録画を予約することをユーザに指定させるためのボタンである。
【００３０】
タグ解除ボタンＢ５は、タグ情報が示すコンテンツに対する制御を解除することをユーザに指定させるためのボタンである。従って、ユーザにより選択されたタグ（＃番組Ａ）を示すタグ情報をテレビ３に送信する場合には、タグ解除ボタンＢ５は「しない」に指定される。一方、タグ情報が示すコンテンツをユーザが視聴済等により、当該コンテンツが不要になった場合には、タグ解除ボタンＢ５は「する」に指定される。
【００３１】
タグ解除を行いたいユーザは、端末装置２の操作を行って、例えば、テレビ連携アプリ実行部２２２により保持されている、テレビ３に送信済のタグ一覧を表示部２３に表示させる。ユーザにより当該タグ一覧からタグが選択されると、テレビ連携アプリ実行部２２２は、タグの選択を検知して、タグ情報送信画面Ｇ２を表示部２３に表示させる。次に、ユーザにより、タグ解除ボタンＢ５が「する」に指定されると、テレビ連携アプリ実行部２２２は、ボタンＢ１〜Ｂ４を「しない」に設定する。
【００３２】
そして、送信諾否画面Ｇ３の「はい」ボタンが押下されると、テレビ連携アプリ実行部２２２は、通信部２１に対して、ユーザにより選択されたタグを示すタグ情報と、タグ解除を示す制御情報とをテレビ３に送信させる。その後、テレビ連携アプリ実行部２２２は、テレビ３に送信済のタグ一覧から、ユーザに選択されたタグを削除する。
【００３３】
（テレビ３の画面例）
図３は、本実施形態に係るテレビ３の画面例を示す図である。図３（ａ）は、タグ情報受信前の全録画一覧画面Ｇ４の例を示す。図３（ｂ）は、タグ情報受信後の全録画一覧画面Ｇ４の例を示す。
【００３４】
図３（ａ）に示すように、タグ情報受信前は、全録画一覧画面Ｇ４には、放送局ごと、および、送信時間帯ごとに、コンテンツの名称が表示されている。
【００３５】
テレビ３において、通信部３１が、タグ情報、および、制御情報を受信した場合、当該制御情報が録画保護を示すときには、制御部３２は、タグ情報が示すコンテンツに対して消去防止のための処理を行う。また、当該制御情報が録画予約を示すときには、制御部３２は、タグ情報が示すコンテンツの録画を予約する。
【００３６】
図３（ｂ）に示すように、タグ情報受信後は、全録画一覧画面Ｇ４において、タグ情報が示すコンテンツの名称に鍵マークが付与されている。当該鍵マークは、タグ情報が示すコンテンツに対して消去防止のための処理が行われたことを示す。
【００３７】
図４は、本実施形態に係るテレビ３の画面例を示す図である。図４（ａ）は、タグ別番組一覧画面Ｇ５の例を示す。図４（ｂ）は、関連タグ検索結果画面Ｇ６の例を示す。
【００３８】
テレビ３において、通信部３１が、タグ情報、および、制御情報を受信した場合、当該制御情報がグルーピングを示すときには、制御部３２は、タグ情報ごとに当該タグ情報が示すコンテンツに関する情報をグループ化する。例えば、制御部３２は、タグ情報ごとに、当該タグ情報が示すタグに関連する番組の名称および放送時間帯を含む情報を記憶部３４に記憶させる。
【００３９】
図３（ｂ）の全録画一覧画面Ｇ４において、ユーザにより、当該画面Ｇ４の「青：タグ別番組一覧」のキー、または、テレビ３のリモコン（図示せず）上の青色ボタンが押下されると、制御部３２は、図４（ａ）のタグ別番組一覧画面Ｇ５を表示部３３に表示させる。換言すれば、表示部３３に表示される画面が、全録画一覧画面Ｇ４からタグ別番組一覧画面Ｇ５に遷移する。その場合、制御部３２は、タグ情報ごとに当該タグ情報が示すコンテンツに関する情報を出力する。
【００４０】
図４（ａ）に示すように、タグ別番組一覧画面Ｇ５には、タグごとに、タグ名である番組名が表示されるとともに、タグ名によりグループ化された番組名と、当該番組の放送時間帯が一覧表示される。さらに、制御情報が関連タグ送信を示す場合には、通信部３１は、タグ情報に関連する関連タグ情報をさらに受信し、制御部３２は、関連タグ情報を出力する。タグ別番組一覧画面Ｇ５には、タグ名である番組名の右側に関連タグが表示されている。
【００４１】
さらに、制御部３２は、関連タグ情報ごとに当該関連タグ情報が示すコンテンツに関する情報を出力する。例えば、ユーザにより、タグ別番組一覧画面Ｇ５の関連タグである「女優Ａ」が選択されて押下されると、制御部３２は、図４（ｂ）の関連タグ検索結果画面Ｇ６を表示部３３に表示させる。換言すれば、表示部３３に表示される画面が、タグ別番組一覧画面Ｇ５から関連タグ検索結果画面Ｇ６に遷移する。
【００４２】
図４（ｂ）に示すように、関連タグ検索結果画面Ｇ６には、２番目のタグ名である「女優Ａ」が表示されるとともに、タグ名によりグループ化された番組名と、当該番組の放送時間帯が一覧表示される。
【００４３】
図５は、本実施形態に係るテレビ３の画面例を示す図である。図５（ａ）は、ＶＯＤ（Video On Demand）サービス選択画面Ｇ７の例を示す。図５（ｂ）は、ＶＯＤサービス画面Ｇ８の例を示す。
【００４４】
テレビ３の、図４（ａ）のタグ別番組一覧画面Ｇ５、または、図４（ｂ）の関連タグ検索結果画面Ｇ６において、ユーザにより「ＶＯＤ検索」キーが押下されると、制御部３２は、図５（ａ）のＶＯＤサービス選択画面Ｇ７を表示部３３に表示させる。換言すれば、表示部３３に表示される画面が、タグ別番組一覧画面Ｇ５、または、関連タグ検索結果画面Ｇ６からＶＯＤサービス選択画面Ｇ７に遷移する。
【００４５】
図５（ａ）に示すように、ＶＯＤサービス選択画面Ｇ７には、選択可能な候補であるＶＯＤサービスの名称が表示される。そして、ユーザにより、１つのＶＯＤサービスの名称（例えば、Himtube）が選択されると、制御部３２は、選択された名称に対応するＶＯＤサービス画面Ｇ８を、通信部３１を介して取得し、表示部３３に表示させる。換言すれば、表示部３３に表示される画面が、ＶＯＤサービス選択画面Ｇ７からＶＯＤサービス画面Ｇ８に遷移する。
【００４６】
図５（ｂ）に示すように、ＶＯＤサービス画面Ｇ８には、選択されたＶＯＤサービスの画面として、タグ名である番組名（例えば、「番組Ａ」）と、当該番組名に関連するコンテンツの名称（例えば、「番組Ａ  第１話」、「番組Ａ  ダイジェスト」、「番組Ａ  第２話  次回予告」）とが表示される。
【００４７】
（端末装置２の処理）
図６は、本実施形態に係る端末装置２の処理を示すフローチャートである。図６に従って、端末装置２の処理の流れを説明する。
【００４８】
（ステップＳ６０１）
端末装置２のテレビ連携アプリ実行部２２２は、投稿データに含まれるタグであって、ユーザにより選択されたタグを示すタグ情報を取得する。
【００４９】
（ステップＳ６０２）
端末装置２のテレビ連携アプリ実行部２２２は、テレビ３において行われる制御内容であって、ステップＳ６０１で取得したタグ情報が示すコンテンツに対する制御内容のうち、ユーザにより選択された制御内容を示す制御情報を取得する。
【００５０】
（ステップＳ６０３）
端末装置２の通信部２１は、ステップＳ６０１で取得したタグ情報と、ステップＳ６０２で取得したタグ情報とをテレビ３に送信する。
【００５１】
（テレビ３の処理）
図７は、本実施形態に係るテレビ３の処理を示すフローチャートである。図７に従って、テレビ３の処理の流れを説明する。
【００５２】
（ステップＳ７０１）
テレビ３の通信部３１は、端末装置２からタグ情報および制御情報を受信する。制御部３２は、受信したタグ情報が示す番組を全録画データから検索する。
【００５３】
（ステップＳ７０２）
テレビ３の制御部３２は、ステップＳ７０１で受信した制御情報に「録画保護」が指定されているか否かを判定する。指定されている場合（ステップＳ７０２のＹＥＳ）、制御部３２は、ステップＳ７０３の処理を実行する。指定されていない場合（ステップＳ７０２のＮＯ）、制御部３２は、ステップＳ７０４の処理を実行する。
【００５４】
（ステップＳ７０３）
テレビ３の制御部３２は、ステップＳ７０１で検索して該当した番組のデータに対して消去防止のための処理を行う。
【００５５】
（ステップＳ７０４）
テレビ３の制御部３２は、ステップＳ７０１で受信した制御情報に「グルーピング」が指定されているか否かを判定する。指定されている場合（ステップＳ７０４のＹＥＳ）、制御部３２は、ステップＳ７０５の処理を実行する。指定されていない場合（ステップＳ７０４のＮＯ）、制御部３２は、ステップＳ７０６の処理を実行する。
【００５６】
（ステップＳ７０５）
テレビ３の制御部３２は、ステップＳ７０１で検索して該当した番組のデータをグループ化して、記憶部３４に記憶させる。
【００５７】
（ステップＳ７０６）
テレビ３の制御部３２は、ステップＳ７０１で受信した制御情報に「関連タグ送信」が指定されているか否かを判定する。指定されている場合（ステップＳ７０６のＹＥＳ）、制御部３２は、ステップＳ７０７の処理を実行する。指定されていない場合（ステップＳ７０６のＮＯ）、制御部３２は、ステップＳ７０８の処理を実行する。
【００５８】
（ステップＳ７０７）
制御情報に「関連タグ送信」が指定されている場合には、ステップＳ７０１において、通信部３１は、端末装置２から関連タグ情報を受信する。ステップＳ７０７においては、テレビ３の制御部３２は、ステップＳ７０１で検索して該当した番組の一覧において、ステップＳ７０１受信した関連タグ情報が示す関連タグを付加する。
【００５９】
（ステップＳ７０８）
テレビ３の制御部３２は、ステップＳ７０１で受信した制御情報に「録画予約」が指定されているか否かを判定する。指定されている場合（ステップＳ７０８のＹＥＳ）、制御部３２は、ステップＳ７０９の処理を実行する。指定されていない場合（ステップＳ７０８のＮＯ）、制御部３２は、ステップＳ７１０の処理を実行する。
【００６０】
（ステップＳ７０９）
テレビ３の制御部３２は、ステップＳ７０１で検索して該当した番組のうち、今後放送される番組の録画予約を行う。
【００６１】
（ステップＳ７１０）
テレビ３の制御部３２は、ステップＳ７０１で受信した制御情報に「タグ解除」が指定されているか否かを判定する。指定されている場合（ステップＳ７１０のＹＥＳ）、制御部３２は、ステップＳ７１１の処理を実行する。指定されていない場合（ステップＳ７１０のＮＯ）、制御部３２は、処理を終了する。
【００６２】
（ステップＳ７１１）
テレビ３の制御部３２は、ステップＳ７０１で検索して該当した番組に対する各制御を解除する。その後、制御部３２は、処理を終了する。
【００６３】
〔実施形態１の効果〕
本実施形態によれば、投稿データを利用して、コンテンツに対する制御を容易に行うことができる。すなわち、ユーザがＳＮＳを通して興味を持ったコンテンツを抽出し、そのグルーピングを行うことにより、ユーザにかかる手間を抑え、かつ、ユーザが要求するコンテンツを当該ユーザ向けに提示できる。
【００６４】
〔ソフトウェアによる実現例〕
端末装置２の制御ブロック（特に制御部２２）と、テレビ３の制御ブロック（特に制御部３２）とは、集積回路（ＩＣチップ）等に形成された論理回路（ハードウェア）によって実現してもよいし、ソフトウェアによって実現してもよい。
【００６５】
後者の場合、端末装置２と、テレビ３とは、各機能を実現するソフトウェアであるプログラムの命令を実行するコンピュータを備えている。このコンピュータは、例えば少なくとも１つのプロセッサ（制御装置）を備えていると共に、上記プログラムを記憶したコンピュータ読み取り可能な少なくとも１つの記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００６６】
〔まとめ〕
本発明の態様１に係る端末装置（２）は、投稿データに含まれるタグであって、ユーザにより選択されたタグを示すタグ情報を取得するタグ情報取得部（テレビ連携アプリ実行部２２２）と、制御対象機器（テレビ３）において行われる制御内容であって、取得した上記タグ情報が示すコンテンツに対する制御内容のうち、上記ユーザにより選択された制御内容を示す制御情報とともに、取得した上記タグ情報を上記制御対象機器に送信する送信部（通信部２１）と、を備えている。
【００６７】
上記の構成によれば、タグが含まれる投稿データを利用して、タグ情報が示すコンテンツに対する制御を容易に行うことができる。
【００６８】
本発明の態様２に係る端末装置は、上記態様１において、上記送信部が、上記タグ情報に関連する関連タグ情報をさらに送信することとしてもよい。
【００６９】
上記の構成によれば、関連タグが含まれる投稿データを利用して、関連タグ情報が示すコンテンツに対する制御を容易に行うことができる。
【００７０】
本発明の態様３に係る制御対象機器（テレビ３）は、投稿データに含まれるタグであって、ユーザにより選択されたタグを示すタグ情報と、当該タグ情報が示すコンテンツに対する制御内容を示す制御情報とを受信する受信部（通信部３１）と、上記制御情報に従って、上記タグ情報が示すコンテンツに対する制御を行う制御部（３２）と、を備えている。
【００７１】
上記の構成によれば、タグが含まれる投稿データを利用して、タグ情報が示すコンテンツに対する制御を容易に行うことができる。
【００７２】
本発明の態様４に係る制御対象機器は、上記態様３において、上記制御部は、上記タグ情報が示すコンテンツに対して消去防止のための処理を行うこととしてもよい。
【００７３】
上記の構成によれば、タグが含まれる投稿データを利用して、タグ情報が示すコンテンツに対する消去防止を容易に行うことができる。
【００７４】
本発明の態様５に係る制御対象機器は、上記態様３または４において、上記受信部が、上記タグ情報に関連する関連タグ情報をさらに受信し、上記制御部が、上記タグ情報ごとに当該タグ情報が示すコンテンツに関する情報を出力するか、または、上記関連タグ情報ごとに当該関連タグ情報が示すコンテンツに関する情報を出力することとしてもよい。
【００７５】
上記の構成によれば、タグ情報または関連タグが含まれる投稿データを利用して、タグ情報または関連タグが示すコンテンツに関する情報の出力を容易に行うことができる。
【００７６】
本発明の態様６に係る制御対象機器は、上記態様５において、上記制御部が、上記コンテンツに関する情報として当該コンテンツの名称および送信時間帯を含む情報を出力することとしてもよい。
【００７７】
本発明の態様７に係る制御対象機器は、上記態様３から６において、上記制御部が、上記タグ情報が示すコンテンツの録画を予約することとしてもよい。
【００７８】
上記の構成によれば、タグが含まれる投稿データを利用して、タグ情報が示すコンテンツの録画の予約を容易に行うことができる。
【００７９】
本発明の態様８に係る制御対象機器は、上記態様３から７において、上記制御部が、上記タグ情報が示すコンテンツに対する制御を解除することとしてもよい。
【００８０】
上記の構成によれば、タグが含まれる投稿データを利用して、タグ情報が示すコンテンツに対する制御の解除を容易に行うことができる。
【００８１】
本発明の態様９に係るテレビジョン受像機は、上記態様３から８における制御対象機器を備えている。
【００８２】
本発明の各態様に係る端末装置は、コンピュータによって実現してもよく、この場合には、コンピュータを上記端末装置が備える各部（ソフトウェア要素）として動作させることにより上記端末装置をコンピュータにて実現させる端末装置の制御プログラム、およびそれを記録したコンピュータ読み取り可能な記録媒体も、本発明の範疇に入る。
【００８３】
また、本発明の各態様に係る制御対象機器は、コンピュータによって実現してもよく、この場合には、コンピュータを上記制御対象機器が備える各部（ソフトウェア要素）として動作させることにより上記制御対象機器をコンピュータにて実現させる制御対象機器の制御プログラム、およびそれを記録したコンピュータ読み取り可能な記録媒体も、本発明の範疇に入る。
【００８４】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８５】
１  コンテンツ制御システム
２  端末装置
３  テレビ（制御対象機器）
２１  通信部（送信部）
３１  通信部（受信部）
３２  制御部
２２２  テレビ連携アプリ実行部（タグ情報取得部）
【図１】
2019125248.tif 000003
【図２】
2019125248.tif 000004
【図３】
2019125248.tif 000005
【図４】
2019125248.tif 000006
【図５】
2019125248.tif 000007
【図６】
2019125248.tif 000008
【図７】
2019125248.tif 000009